(57)【要約】【課題】被検者が運動状態であっても肩部や上肢部も検査対象とすることができる、生体センサが取り付けられた耐久性の高い被服を提供する。【解決手段】被検者が装着すると複数の検査部位のそれぞれに生体センサが接触するように取り付けられた、被検者の体部、肩部、および上肢部を被う被服であって、肩関節を挟んで隣接する生体センサのそれぞれは互いに肩峰端の上部を経由する配線ケーブルによって接続され、肘関節を挟んで隣接する生体センサのそれぞれは互いに外側上顆の外側部を経由する配線ケーブルによって接続されている被服を提供する。【選択図】図２
2019208623.tif 000002
【特許請求の範囲】
【請求項１】
被検者が装着すると複数の検査部位のそれぞれに生体センサが接触するように取り付けられた、前記被検者の体部、肩部、および上肢部を被う被服であって、
肩関節を挟んで隣接する前記生体センサのそれぞれは互いに肩峰端の上部を経由する配線ケーブルによって接続され、肘関節を挟んで隣接する前記生体センサのそれぞれは互いに外側上顆の外側部を経由する配線ケーブルによって接続されている被服。
【請求項２】
前記肩峰端の周囲に配された複数の前記生体センサは、前記肩峰端の上部に設けられた環状帯を経由して放射状に伸延する前記配線ケーブルによって互いに接続されている請求項１に記載の被服。
【請求項３】
前記生体センサは、生地に設けられたそれぞれの取付部に対して着脱可能であり、
前記取付部は、前記生体センサを構成するセンサ部が内側から、前記生体センサを構成するアンプ部が外側から、前記生地を挟み込んで取り付ける構造を有する請求項１または２に記載の被服。
【請求項４】
前記生体センサを互いに接続する配線ケーブルは前記アンプ部に結線されており、利用者が前記配線ケーブルを引張れば、それぞれの前記アンプ部が対をなす前記センサ部から離脱する請求項３に記載の被服。
【請求項５】
前記被服の生地は、取り付けられた前記生体センサを前記被検者の皮膚に密着させ、利用者が取り付けられた前記生体センサを皮膚の表面方向へずらして位置を調整できる、伸縮性を有する請求項１から４のいずれか１項に記載の被服。
【請求項６】
前記被服の生地は、前記利用者が前記生体センサを皮膚の表面方向へずらして位置を調整するための、周囲より厚みのあるつまみ部を有する請求項５に記載の被服。
【請求項７】
前記被服の生地は、前記被検者の骨格の基準位置に一致させるべき指標を有する請求項１から６のいずれか１項に記載の被服。
【請求項８】
配線ケーブルが経由する経由点に、前記配線ケーブルを摺動可能に貫通させる環状帯を備える請求項１から７のいずれか１項に記載の被服。
【請求項９】
胸部の締め付けを調整する調整部が前記被検者の背中側に設けられた後あきである請求項１から８のいずれか１項に記載の被服。
【発明の詳細な説明】
【技術分野】
【０００１】
本発明は、生体センサが取り付けられた被服に関する。
【背景技術】
【０００２】
ベスト形状の被服に生体センサをちりばめた装置が知られている（例えば、特許文献１参照）。生体センサの電極は、ベスト形状に合わせて形成された可撓性の基材層に設置されている。互いの電極は、基材層に設けられた曲線状ストリップで接続されている。
【先行技術文献】
【特許文献】
【０００３】
【特許文献１】特表２０１４−５０５５２９号公報
【発明の概要】
【発明が解決しようとする課題】
【０００４】
従来の装置は、被検者が横たわって心電検査を受けるような安静にした状態であれば、その利用に支障は無い。しかし、このような装置は、被検者が運動している状態で生体情報を取得したい場合であって、特に体部に限らず肩部や上肢部も検査対象とする場合には、運動箇所の配線材が繰り返される応力を受け、破損しやすいという問題がある。
【０００５】
本発明は、このような問題を解決するためになされたものであり、被検者が運動状態であっても肩部や上肢部も検査対象とすることができる、生体センサが取り付けられた耐久性の高い被服を提供するものである。
【課題を解決するための手段】
【０００６】
本発明の具体的な態様における被服は、被検者が装着すると複数の検査部位のそれぞれに生体センサが接触するように取り付けられた、被検者の体部、肩部、および上肢部を被う被服であって、肩関節を挟んで隣接する生体センサのそれぞれは互いに肩峰端の上部を経由する配線ケーブルによって接続され、肘関節を挟んで隣接する生体センサのそれぞれは互いに外側上顆の外側部を経由する配線ケーブルによって接続されている。このように生体センサを互いに配線ケーブルで接続し、しかも被検者の運動箇所に対応して当該配線ケーブルを肩峰端の上部、外側上顆の外側部を経由させることにより、応力の集中を抑制して装置としての耐久性を向上させることに成功した。
【０００７】
上記の被服において、肩峰端の周囲に配された複数の生体センサは、肩峰端の上部に設けられた環状帯を経由して放射状に伸延する配線ケーブルによって互いに接続されていると良い。肩関節を中心に回動する腕運動の伸縮の影響は、このように肩峰端を中心に配線ケーブルを放射状に配置することにより抑制することができる。すなわち、配線ケーブルは、肩峰端を中心とする周方向への伸縮の影響をほとんど受けることがない。
【０００８】
上記の被服において、生体センサは、生地に設けられたそれぞれの取付部に対して着脱可能であり、取付部は、生体センサを構成するセンサ部が内側から、生体センサを構成するアンプ部が外側から、生地を挟み込んで取り付ける構造を有しても良い。このような構造であれば、簡単に生体センサを着脱でき、被検者の皮膚に触れる生地の部分を洗濯することができ、また、同じく皮膚に触れるセンサ部を消毒しやすい。
【０００９】
このとき、生体センサを互いに接続する配線ケーブルはアンプ部に結線されており、利用者が配線ケーブルを引張れば、それぞれのアンプ部が対をなすセンサ部から離脱するように装着力を調整すると良い。比較的把持しやすい配線ケーブルを掴んで引張るだけで生体センサを生地から分離させられれば、利用者の作業効率を高めることができる。
【００１０】
また、被服の生地は、取り付けられた生体センサを被検者の皮膚に密着させ、利用者が取り付けられた生体センサを皮膚の表面方向へずらして位置を調整できる、伸縮性を有すると良い。このように生地が伸縮性を有すると、被検者はざっと装着した上で生体センサを正しい位置に調整でき、しかも特別な器具を要すること無くその位置で皮膚に密着させられるので、使い勝手が良く、短時間のうちに計測を開始することができる。
【００１１】
このとき、被服の生地は、利用者が生体センサを皮膚の表面方向へずらして位置を調整するための、周囲より厚みのあるつまみ部を有すると良い。生地のつまむ箇所を厚みのあるつまみ部に集中させることにより、伸縮性を有する生地を破損してしまう可能性を軽減できる。
【００１２】
また、被服の生地は、被検者の骨格の基準位置に一致させるべき指標を有しても良い。このような指標があれば、専門知識を有する補助者がいなくても被検者が自身で被服を装着しやすくなる。
【００１３】
また、配線ケーブルが経由する経由点に、配線ケーブルを摺動可能に貫通させる環状帯を備えるようにしても良い。このような環状帯を利用すれば、配線ケーブルの経路を安定させることができ、また、応力の集中もより一段と抑制することができる。
【００１４】
また、胸部の締め付けを調整する調整部が被検者の背中側に設けられた後あきであると良い。後あきであると、被服に対して両腕と胸部を同時に押し当てるように装着することになるので、左右対称に配置される生体センサの位置決めがしやすく、装着感も向上する。
【発明の効果】
【００１５】
本発明により、被検者が運動状態であっても肩部や上肢部も検査対象とすることができる、生体センサが取り付けられた耐久性の高い被服を提供することができる。
【図面の簡単な説明】
【００１６】
【図１】計測システムの全体構成を示す概略図である。
【図２】被検者に装着した状態のセンサウェアを胸部側から観察した図である。
【図３】被検者に装着した状態のセンサウェアを背部側から観察した図である。
【図４】生体センサの生地への装着を説明する斜視図である。
【図５】生体センサの位置調整を説明する斜視図である。
【発明を実施するための形態】
【００１７】
以下、発明の実施の形態を通じて本発明を説明するが、特許請求の範囲に係る発明を以下の実施形態に限定するものではない。また、実施形態で説明する構成の全てが課題を解決するための手段として必須であるとは限らない。
【００１８】
図１は、被検者の複数の検査部位における筋電信号を測定する計測システム１００の全体構成を示す概略図である。計測システム１００は、主に、被検者が装着するセンサウェア２００と、センサウェア２００からの筋電信号を取得して被検者の状態を解析する解析用ＰＣ３００と、その結果を表示するモニタ４００とによって構成される。
【００１９】
センサウェア２００は、被検者が装着すると複数の検査部位のそれぞれに筋電信号を取得するための生体センサ２３０が接触するように取り付けられた被服であり、その生地２１０は、被検者の体部、肩部、および上肢部を被う。すなわち、生体センサ２３０は、被検者の体部、肩部、および上肢部の検査部位に対応して生地２１０に設けられている。
【００２０】
右半身に配置される生体センサ２３０のそれぞれ、および左半身に配置される生体センサ２３０のそれぞれは、制御ボックス２７０から配線ケーブル２５０を用いてデイジーチェーン形式により互いに接続されている。配線ケーブル２５０の取り回しについては、後に詳述する。
【００２１】
それぞれの生体センサ２３０の出力信号は、制御ボックス２７０に集約され、近距離無線通信によって解析用ＰＣ３００へ送信される。すなわち、制御ボックス２７０は、各生体センサ２３０の制御機能と、解析用ＰＣ３００との通信機能とを備える。また、制御ボックス２７０は、各生体センサ２３０への電力供給機能を備え、そのための二次電池を内蔵する。なお、制御ユニット２２０と解析用ＰＣ３００との通信は、直接的な近距離無線通信に限らず、クラウドサーバーを介しての通信でも構わないし、有線接続による通信でも構わない。
【００２２】
解析用ＰＣ３００は、例えばデスクトップＰＣであり、制御ボックス２７０から生体センサ２３０の出力信号を受信して被検者の状態や動作に関する解析を実行する解析装置として機能する。解析用ＰＣ３００は、ＣＰＵである、制御演算プログラムを実行するシステム制御部３１０を備える。
【００２３】
モニタ４００は、例えば液晶モニタであり、解析用ＰＣ３００と接続されている。解析用ＰＣ３００で解析された結果や、各生体センサ２３０の出力信号の推移は、被検者や補助者が視認可能なように、モニタ４００に表示される。
【００２４】
図２は、被検者に装着した状態のセンサウェア２００を胸部側から観察した簡略図である。また、図３は、被検者に装着した状態のセンサウェア２００を背部側から観察した簡略図である。配線ケーブル２５０および環状帯２４０は、右半身に配置されるものに限って図示するが、これらは、左半身に対しても右半身と略対象に配置されている。
【００２５】
上述のように、各生体センサ２３０は生地２１０に取り付けられている。まず、被検者がセンサウェア２００を装着した場合における、各生体センサ２３０の位置について説明する。被検者がセンサウェア２００を装着した場合の各生体センサ２３０の位置は、筋電信号を取得したいそれぞれの検査部位に対応する。なお、ここでは一例としての検査部位を説明するが、検査の目的に応じて生体センサ２３０の位置は適宜変更され得る。
【００２６】
右半身に配置される生体センサ２３０は、具体的には、制御ボックス２７０から接続される順に、生体センサ２３０ｒａ、２３０ｒｂ、２３０ｒｃ、２３０ｒｄ、２３０ｒｅ、２３０ｒｆ、２３０ｒｇ、２３０ｒｈ、２３０ｒｉ、２３０ｒｊ、２３０ｒｋの１１個である。被検者がセンサウェア２００を装着した場合に、右半身において、生体センサ２３０ｒａは大胸筋、生体センサ２３０ｒｂは三角筋前部、生体センサ２３０ｒｃは三角筋中部、生体センサ２３０ｒｄは三角筋後部、生体センサ２３０ｒｅは棘下筋、生体センサ２３０ｒｆは僧帽筋、生体センサ２３０ｒｇは上腕三頭筋、生体センサ２３０ｒｈは上腕二頭筋、生体センサ２３０ｒｉは腕橈骨筋、生体センサ２３０ｒｊは橈骨手根屈筋、生体センサ２３０ｒｋは尺骨茎状突起に、それぞれ位置するように配置されている。
【００２７】
左半身に配置される生体センサ２３０は、具体的には、制御ボックス２７０から接続される順に、生体センサ２３０ｌａ、２３０ｌｂ、２３０ｌｃ、２３０ｌｄ、２３０ｌｅ、２３０ｌｆ、２３０ｌｇ、２３０ｌｈ、２３０ｌｉ、２３０ｌｊ、２３０ｌｋの１１個である。被検者がセンサウェア２００を装着した場合に、左半身において、生体センサ２３０ｌａは大胸筋、生体センサ２３０ｌｂは三角筋前部、生体センサ２３０ｌｃは三角筋中部、生体センサ２３０ｌｄは三角筋後部、生体センサ２３０ｌｅは棘下筋、生体センサ２３０ｌｆは僧帽筋、生体センサ２３０ｌｇは上腕三頭筋、生体センサ２３０ｌｈは上腕二頭筋、生体センサ２３０ｌｉは腕橈骨筋、生体センサ２３０ｌｊは橈骨手根屈筋、生体センサ２３０ｌｋは尺骨茎状突起に、それぞれ位置するように配置されている。左半身に配置されるそれぞれの生体センサ２３０は、右半身に配置されるそれぞれの生体センサ２３０と、左右対象に配置されている。
【００２８】
このように、被検者の体部、肩部、および上肢部を被うセンサウェア２００において、被検者の運動に伴って伸縮や回動が大きく起こり得る箇所は、肩関節に対応する箇所と、肘関節に対応する箇所である。生体センサ２３０ｒａと生体センサ２３０ｒｂ、生体センサ２３０ｒｂと生体センサ２３０ｒｃ、生体センサ２３０ｒｃと生体センサ２３０ｒｄ、生体センサ２３０ｒｄと生体センサ２３０ｒｅは、それぞれ互いに右の肩関節を挟んで隣接する関係にある。同様に、生体センサ２３０ｌａと生体センサ２３０ｌｂ、生体センサ２３０ｌｂと生体センサ２３０ｌｃ、生体センサ２３０ｌｃと生体センサ２３０ｌｄ、生体センサ２３０ｌｄと生体センサ２３０ｌｅは、それぞれ互いに左の肩関節を挟んで隣接する関係にある。それぞれの生体センサ間を接続する配線ケーブル２５０は、それぞれ右の肩峰端の上部、または、左の肩峰端の上部を経由するように取り回しがなされている。配線ケーブル２５０のこのような取り回しにより、被検者の運動に起因する配線ケーブル２５０への応力の集中を回避することができる。したがって、配線ケーブル２５０が断線する可能性を極めて小さくすることができる。
【００２９】
より具体的には、生体センサ２３０ｒａ、２３０ｒｂ、２３０ｒｃ、２３０ｒｄ、２３０ｒｅは、右の肩峰端の周囲に配された生体センサと言え、これらの生体センサは、右の肩峰端の上部に設けられた環状帯２４０を経由して放射状に伸延する配線ケーブル２５０によって互いに接続されている。同様に、生体センサ２３０ｌａ、２３０ｌｂ、２３０ｌｃ、２３０ｌｄ、２３０ｌｅは、左の肩峰端の周囲に配された生体センサと言え、これらの生体センサは、左の肩峰端の上部に設けられた環状帯２４０を経由して放射状に伸延する配線ケーブル２５０によって互いに接続されている。環状帯２４０は、配線ケーブル２５０を摺動可能に貫通させるループ状の帯である。環状帯２４０は、例えば、一端が生地２１０に縫い付けられており、他端に面ファスナーが設けられ、配線ケーブル２５０を通して適当な径のループを作れるように構成されている。このように配線ケーブル２５０を放射状に配置することにより、肩峰端を中心に回動する腕の運動による伸縮の影響を抑制することができる。すなわち、配線ケーブル２５０は、肩峰端を中心とする周方向に沿って配線されていないので、腕の伸縮の影響をほとんど受けることがない。
【００３０】
生体センサ２３０ｒｈと生体センサ２３０ｒｉは、右の肘関節を挟んで隣接している。生体センサ２３０ｌｈと生体センサ２３０ｌｉは、左の肘関節を挟んで隣接している。この間を接続する配線ケーブル２５０は、それぞれ右の外側上顆の外側部、左の外側上顆の外側部を経由するように取り回しがなされている。配線ケーブル２５０のこのような取り回しにより、被検者の運動に起因する配線ケーブル２５０への応力の集中を回避することができる。したがって、配線ケーブル２５０が断線する可能性を極めて小さくすることができる。
【００３１】
また、配線ケーブル２５０がこのような所定箇所を安定的に経由するために、所々の経由点にも環状帯２４０が設けられている。環状帯２４０を所々に設けることにより、配線ケーブル２５０が予め定められた経由点を経由し、かつ経由点において摺動できるので、配線ケーブル２５０にかかり得る応力をより効果的に逃がすことができる。環状帯２４０は、それぞれの肩峰端の上部の他に、腋窩後壁付近、外側上顆の外側部を挟む両側に設けると良い。
【００３２】
また、図３に示すように、センサウェア２００は背中側で左右に開かれる後あきである。そして、生地２１０を被検者の身体に密着させるように、胸部の締め付けを調整する調整部が後あきの両側を跨いで設けられている。具体的には、調整部は、締帯２１１と面ファスナー２１２の組み合わせによって構成されている。締帯２１１は、一端が後あきの右側に縫い込まれている。面ファスナー２１２は、後あきの左側に設けられており、締帯２１１の他端を密着させる。締帯２１１の他端の密着位置を調整することにより、胸部の締め付けを調整することができる。
【００３３】
このように、センサウェア２００が後あきの構成であると、被検者はセンサウェア２００に対して両腕と胸部を同時に押し当てるように装着することになるので、左右対称に配置される生体センサの位置決めがしやすく、装着感も向上する。また、調整部を設けることにより、生体センサ２３０と皮膚の密着性を向上させることができるので、筋電信号の取得精度を向上させることもできる。
【００３４】
生体センサ２３０は、生地２１０に設けられたそれぞれの取付部に対して着脱可能である。図４は、生体センサ２３０の生地２１０への装着を説明する斜視図である。生体センサ２３０は、センサ部２３２とアンプ部２３１とによって構成される。生地２１０に設けられた貫通孔である取付部２１３は、センサ部２３２が被検者の皮膚側である内側から、アンプ部２３１が外側から、取付部２１３の周辺の生地２１０を挟み込んで取り付ける構造を有する。
【００３５】
アンプ部２３１は、生地２１０とは反対側の面に、配線ケーブル２５０を接続する結線端子２３５が２つ設けられている。配線ケーブル２５０は、端部にケーブル端子２５１を有し、ケーブル端子２５１が結線端子２３５へ差し込まれることにより、アンプ部２３１に固定される。配線ケーブル２５０は、隣接する生体センサ２３０や制御ボックス２７０との距離に応じて、適切な長さのものが選択される。なお、デイジーチェーンの端部である生体センサ２３０ｌｋ、２３０ｒｋの場合は、一方の結線端子２３５に配線ケーブル２５０が接続され、他方の結線端子２３５には接続されない。なお、通信上の制約に応じて終端抵抗等を接続しても良い。
【００３６】
結線端子２３５は、アンプ部２３１の内部に収容されたアンプ回路２３３と結線されている。アンプ回路２３３は、取得した筋電信号を増幅し、ＡＤ変換を行い、制御ボックス２７０からの要求に応じて処理した筋電信号を出力する機能を担う。アンプ回路２３３は、アンプ部２３１のうち取付部２１３と対向する面側に設けられた、センサ部２３２側から筋電信号を取得するためのアンプ端子２３４に接続されている。アンプ端子２３４は、雌型コネクタである。
【００３７】
センサ部２３２は、電極が被検者の皮膚に接触するように外部に露出した筋電センサ２３７を収容している。筋電センサ２３７は、被検者の皮膚を介してセンシングした筋電信号を、センサ端子２３８から出力する。センサ端子２３８は、センサ部２３２のうち取付部２１３と対向する面側に突出して設けられた、雄型コネクタである。センサ端子２３８は、取付部２１３を貫通しアンプ端子２３４に受容される。これらの端子結合により、アンプ部２３１とセンサ部２３２は、取付部２１３の周囲の生地２１０を挟み込んで互いに固定される。また、センサ部２３２は、マグネット２３６を備え、マグネット２３６がアンプ部２３１の筐体に吸着することにより、アンプ部２３１とセンサ部２３２の固定を補強する。
【００３８】
上記のように、各生体センサ２３０は、生地２１０に設けられたそれぞれの取付部２１３に取り付けられる。被検者または補助者である利用者は、生体センサ２３０を生地２１０から取り外す場合に、配線ケーブル２５０を引張ることにより、配線ケーブル２５０と結線されたアンプ部２３１を、それぞれが対をなすセンサ部２３２から離脱させることができる。アンプ部２３１は、ケーブル端子２５１によって直列的に接続されているので、利用者は、一度に多くのアンプ部２３１を離脱させることができる。すなわち、アンプ部２３１とセンサ部２３２間の結合力は、利用者が引張れば離間する程度に調整されている。具体的には、アンプ端子２３４とセンサ端子２３８の嵌合力やマグネット２３６の磁力が、そのような結合力となるように調整されている。
【００３９】
このように生体センサ２３０と配線ケーブル２５０を生地２１０から簡単に引きはがすことができれば、被検者の皮膚に触れる生地２１０を容易に洗濯することができ、また、同じく皮膚に触れるセンサ部２３２を消毒しやすい。また、比較的把持しやすい配線ケーブル２５０を掴んで引張るだけで生体センサ２３０を生地から分離させられれば、利用者の作業効率を高めることができる。
【００４０】
図５は、生体センサ２３０の位置調整を説明する斜視図である。生地２１０は、ナイロン素材など伸縮性のある素材が用いられる。生地２１０が伸縮性を有すると、センサ部２３２を皮膚に押しつける効果を期待でき、これにより筋電信号の取得精度を向上させることができる。
【００４１】
生地２１０は伸縮性を有するので、利用者が生体センサ２３０を矢印で示す皮膚の表面方向へずらして位置を調整することができる。このとき、位置調整の対象となる生体センサ２３０の近傍には、周囲の生地より厚みのあるつまみ部２１５が生地２１０に設けられている。利用者は、このつまみ部２１５をつまんで生体センサ２３０の位置を調整する。つまみ部２１５は、生体センサ２３０の近傍に複数設けても良く、例えば、生体センサ２３０を挟んで２つのつまみ部２１５を設けても良い。このように、生地２１０のつまむ箇所を厚みのあるつまみ部２１５に集中させることにより、伸縮性を有する生地２１０を破損してしまう可能性を軽減できる。なお、つまみ部２１５は、生地２１０の一部を折曲げて形成しても良いし、当て布を施しても良い。また、ボタンのようにプラスチックや金属素材のつまみを取り付けても良い。
【００４２】
生地２１０は、生体センサ２３０の近傍に、被検者の骨格の基準位置に一致させるべき指標２１４を有しても良い。特に、尺骨や肩甲骨の隆起箇所の近傍に生体センサ２３０を配置する場合には、これらの隆起箇所に一致させるべき生地２１０上のポイントに指標２１４が設けられていると、利用者は当該生体センサ２３０の位置決めを行いやすい。
【００４３】
指標２１４の形式は図示するようなマークに限らず、文字やアイコン、イラストなども採用することができる。例えば、骨格や筋肉のイラストが描かれていれば、それらを被検者の骨格や筋肉に一致させるように調整することができる。このように、生地２１０につまみ部２１５や指標２１４を設けると、被検者はセンサウェア２００を装着した上で生体センサ２３０を正しい位置に調整できる。しかも特別な器具を要すること無くその位置で皮膚に密着させられるので、使い勝手が良く、短時間のうちに生体計測を開始することができる。
【００４４】
以上、センサウェア２００を被服の一例として説明したが、センサウェア２００は、筋電信号を計測するものに限らず、生体センサを他のものに置き換えれば、様々な生体信号を計測するものとして構成することができる。もちろん、計測する生体信号に応じて取付部２１３を適切な検査箇所に設ければ良い。これまで、多くの生体センサをそれぞれ個別に検査箇所に載置して位置調整することは煩雑な作業であったが、本実施形態のようなセンサウェアを採用すれば、被検者がセンサウェアを装着するだけで、多くの生体センサを所定の位置に配置することができる。
【００４５】
また、上記のセンサウェア２００は、後あきの被服として構成したが、前あきやポンチョタイプの構成であっても良い。生体センサ２３０の配置位置などを考慮して、適当な構成を選択すれば良い。また、上記の生体センサ２３０においては、生体センサ２３０と配線ケーブル２５０が着脱可能な構成であると説明したが、これに限らない。生体センサ２３０と配線ケーブル２５０を着脱可能な構成にすれば、計測したい検査箇所に応じて生体センサ２３０と配線ケーブル２５０の接続構成を適宜変更することができる。一方で、生体センサ２３０（その一部であるアンプ部２３１であっても良い）と配線ケーブル２５０が互いに固定された構成にすれば、決まった計測を繰り返す場合において利便性が高い。
【００４６】
また、センサウェア２００においては、生体センサ２３０を直列に接続するデイジーチェーン形式を採用した。これは、並列で接続する場合に比べて配線ケーブル２５０の太さを抑制することができ、被検者の運動を妨げにくいからである。しかし、配線ケーブルの太さを抑制できるのであれば、デイジーチェーン形式に限らなくても良い。ただし、この場合であっても、肩関節を挟んで隣接する生体センサのそれぞれは互いに肩峰端の上部を経由する配線ケーブルによって接続されていることが好ましい。また、肘関節を挟んで隣接する生体センサのそれぞれは互いに外側上顆の外側部を経由する配線ケーブルによって接続されていることが好ましい。
【符号の説明】
【００４７】
１００  計測システム、２００  センサウェア、２１０  生地、２１１  締帯、２１３  取付部、２１４  指標、２１５  つまみ部、２３０  生体センサ、２３１  アンプ部、２３２  センサ部、２３３  アンプ回路、２３４  アンプ端子、２３５  結線端子、２３６  マグネット、２３７  筋電センサ、２３８  センサ端子、２４０  環状帯、２５０  配線ケーブル、２５１  ケーブル端子、２７０  制御ボックス、３００  解析用ＰＣ、３１０  システム制御部、４００  モニタ
【図１】
2019208623.tif 000003
【図２】
2019208623.tif 000004
【図３】
2019208623.tif 000005
【図４】
2019208623.tif 000006
【図５】
2019208623.tif 000007